(57)【要約】【課題】雨水等の侵入を防ぐシール性が高く、見栄えが良好で、かつ施工の作業性が良好な横葺外壁の端部接続構造を実現すること。【解決手段】建築物の壁面１を覆う金属パネルからなる複数の横葺外壁２Ａ，２Ｂを横方向に接続する継手金具３として、両横葺外壁２Ａ，２Ｂの隣接する端部間にわたる幅で、長さが上記横葺外壁２Ａ，２Ｂの縦幅とほぼ同じないしは若干長めの金属パネル体を用い、その幅方向中央部３４を残して左右の両半部の表面にそれぞれ止水用シール材４を貼着する。一方、両横葺外壁２Ａ，２Ｂには相対向する端縁を背面側へ屈曲させて屈曲端縁２６を形成する。そして継手金具３は、両側の止水用シール材４をそれぞれ隣接する両横葺外壁２Ａ，２Ｂの端部の背面に重合固定せしめるとともに、両横葺外壁２Ａ，２Ｂの屈曲端縁２６の先端を継手金具３の幅方向中央部３４の表面に当接せしめて両横葺外壁２Ａ，２Ｂの端部を接続した。【選択図】        図１
2004339766.tif 000002
【特許請求の範囲】
【請求項１】
建築物の壁面を覆う金属パネルからなる複数の横葺外壁の横方向に隣接する両横葺外壁の端部を継手金具を用いて接続する横葺外壁の端部接続構造において、
上記継手金具として、上記両横葺外壁の隣接する端部間にわたる幅で、長さが上記横葺外壁の縦幅とほぼ同じないしは若干長めの金属パネルからなる継手金具を用い、該継手金具には幅方向中央部を残して左右の両半部の表面にそれぞれ止水用シール材を貼着し、
上記両横葺外壁には相対向する端縁を背面側へ屈曲させて屈曲端縁を形成し、
上記継手金具を、上記止水用シール材がそれぞれ隣接する両横葺外壁の端部の背面に重合するように固定せしめるとともに、上記両横葺外壁の上記屈曲端縁の先端を上記継手金具の上記幅方向中央部の表面に当接せしめてなる金属板横葺外壁の端部接続構造。
【請求項２】
上記各横葺外壁は、その本体部の上端に、パネル背面側に膨出する断面ほぼコ字形の溝部と、該溝部の開口上縁からパネル背面側へ断面ほぼＺ字形に屈曲して上方へ延びる固定フランジが形成され、上記本体部の下端にはパネル背面側へ折り曲げた係止部が形成され、上記固定フランジを建築物の壁面にねじ締め固定した下段の横葺外壁の上端の上記溝部に上段の横葺外壁の下端の上記係止部を係止せしめ、上記上段の横葺外壁の上端の上記固定フランジを上記建築物の壁面にねじ締め固定して、下段から上段へと順次横葺外壁を組付けるようになし、
上記継手金具は、上記横葺外壁の本体部の背面に上記止水用シール材を介して重ね合せる一般部と、該一般部の上端に上記横葺外壁の溝部および固定フランジを回避してパネル背面側へ膨出する凹部を備え、
上記継手金具は、その上記一般部の下端を、既設の上記下段の横葺外壁の上端の上記溝部の上縁部と、該溝部に係止せしめた上記上段の横葺外壁の本体部の下端との間に嵌入せしめるとともに、上記止水用シール材を介して上記上段の横葺外壁の背面に重合せしめた上記一般部の上端の凹部を、上記上段の横葺外壁の固定フランジと一体に上記建築物の壁面にねじ締め固定した請求項１に記載の金属板横葺外壁の端部接続構造。
【請求項３】
上記下段の横葺外壁の接続部と、上記上段の横葺外壁の接続部を、上下方向に千鳥状に配した請求項１または請求項２に記載の金属板横葺外壁の端部接続構造。
【発明の詳細な説明】
【０００１】
【発明の属する技術分野】
本発明は、建築物の壁面を覆う複数の横葺外壁の横方向に隣接する両横葺外壁の端部を接続する金属板横葺外壁の端部接続構造に関する。
【０００２】
【従来の技術】
従来、工場、倉庫、体育館等の建築物の外壁として、断熱材などの内装材の外面に沿って上下方向に延びる外壁下地材を設け、該外壁下地材に複数の横長の横葺外壁を壁面の下側から上方へ順次組付け固定し、上記内装材を被覆したものがある（例えば、特許文献１参照。）。
【０００３】
図７に示すように、金属パネルからなる横葺外壁２は同一形状、同一寸法で、その上端に幅方向全長にわたってパネル表面側に開口する断面ほぼコ字形の溝部２１と、該溝部２１の上方にパネル背面側へ断面ほぼＺ字形に屈曲形成した固定フランジ２４を備え、一方、横葺外壁２の下端には、下縁をパネル背面側へ鋭角に折り曲げ、上記溝部２１に係止可能な係止部２５を備えている。
【０００４】
そして、先に上記建築物の壁面に配置した下段の横葺外壁２の固定フランジ２４を外壁下地材１０にねじ締め固定し、下段の横葺外壁２の溝部２１に該横葺外壁２の直上位置に配設する上段の横葺外壁２の下端の係止部２５を係止するとともに、上段の横葺外壁２の上縁の固定フランジ２４を外壁下地材１０にねじ締め固定し、このようにして順次、図略の横葺外壁を上方へ組付けている。
【０００５】
また、図８、図９に示すように、横方向に隣接した複数の横葺外壁２Ａ，２Ｂの端部を接続するに場合、上記建築物の壁面に上下方向に直線状に延びる長尺の継手金具６を付設し、該継手金具６を介してその両側に位置する横葺外壁２Ａ，２Ｂを接続している。継手金具６は、左右両側に横方向へ向けて開口する溝部６０を備えた断面ほぼＨ字形の鋼材で、両溝部６０の溝底には発泡ゴム等からなる厚肉シート状の止水用シール材４が貼着してある。そして、両側の溝部６０にそれぞれ、横葺外壁２Ａ，２Ｂの端部を嵌入し、止水用シール材４に横葺外壁２の端縁２６ａを上下全長にわたって圧接せしめている。尚、継手金具６は、上記建築物の壁面の上下方向ほぼ全長にわたって設置され、上下に複数段組付けられた横葺外壁２Ａ，２Ｂの端部を上下方向に一連に接続するようにしている。
【０００６】
【特許文献１】
特許第３２６５２８５号明細書
【０００７】
【発明が解決しようとする課題】
しかしながら、従来の長尺の継手金具６を用いた接続構造では、継手金具６で横葺外壁２の端部を囲むように接続しているので、接続部に継手金具６が突出して見栄えが良くない。また、長尺の継手金具６では、横風に煽られて横葺外壁２の外面を伝って横方向に流れる雨水等が、継手金具６の溝部６０内の外側の溝壁と横葺外壁２の外面と隙間に入りやすく、上記隙間へ入った雨水は継手金具６の最下端へ流下するまで排出されない。この場合、横葺外壁２の端縁２６ａのみを止水用シール材４に線状に圧接せしめたシール構造ではシール力が不十分で、例えば経年により止水用シール材４が硬化してシール性能が低下すると、止水用シール材４と横葺外壁２の端縁２６ａとの間から雨水が外壁内側へ侵入するおそれがある（図９の矢印）。
【０００８】
更に、外壁を施工する際、継手金具６を先に建築物の壁面に取付け、後に横葺外壁２を、その側端を継手金具６の溝部６０へ嵌め込みながら上下に複数の横葺外壁２を組付けなければならず施工の作業性が良くなく、継手金具６の壁面への取付け位置と横葺外壁２の横長との寸法誤差等により、継手金具６への横葺外壁２の圧接力が弱くシール性能が悪くなったり、逆に継手金具６への横葺外壁２の圧接力が強く、横葺外壁２に撓みが発生するといった問題があった。また、上下に複数段組付けた各横葺外壁２の接続部が上下方向に一直線に揃うので外壁外観が単調になっていた。そこで本発明は、雨水等の侵入を防ぐシール性が高く、見栄えが良好で、かつ施工の作業性が良好な横葺外壁の端部接続構造を実現することを課題としてなされたものである。
【０００９】
【課題を解決するための手段】
本発明は、建築物の壁面を覆う金属パネルからなる複数の横葺外壁の横方向に隣接する両横葺外壁の端部を継手金具を用いて接続する横葺外壁の端部接続構造において、上記継手金具として、上記両横葺外壁の隣接する端部間にわたる幅で、長さが上記横葺外壁の縦幅とほぼ同じないしは若干長めの金属パネルからなる継手金具を用い、該継手金具には幅方向中央部を残して左右の両半部の表面にそれぞれ止水用シール材を貼着する。上記両横葺外壁には相対向する端縁を背面側へ屈曲させて屈曲端縁を形成する。上記継手金具を、上記止水用シール材がそれぞれ隣接する両横葺外壁の端部の背面に重合するように固定せしめるとともに、上記両横葺外壁の上記屈曲端縁の先端を上記継手金具の上記幅方向中央部の表面に当接せしめる構造とする（請求項１）。継手金具は両横葺外壁の端部の背面側を架けわたすように設けたので表面側に突出せず接続部の見栄えがよい。継手金具は、左右両半部の止水用シール材を両横葺外壁の背面に重ね合わせて両者を面で圧接せしめてシールするので雨水等の侵入を防ぐシール性が高い。
【００１０】
上記各横葺外壁は、その本体部の上端に、パネル背面側に膨出する断面ほぼコ字形の溝部と、該溝部の開口上縁からパネル背面側へ断面ほぼＺ字形に屈曲して上方へ延びる固定フランジが形成され、上記本体部の下端にはパネル背面側へ折り曲げた係止部が形成され、上記固定フランジを建築物の壁面にねじ締め固定した下段の横葺外壁の上端の上記溝部に上段の横葺外壁の下端の上記係止部を係止せしめ、上記上段の横葺外壁の上端の上記固定フランジを上記建築物の壁面にねじ締め固定して、下段から上段へと順次横葺外壁を組付けるようにする。上記継手金具は、上記横葺外壁の本体部の背面に上記止水用シール材を介して重ね合せる一般部と、該一般部の上端に上記横葺外壁の溝部および固定フランジを回避してパネル背面側へ膨出する凹部を備えている。上記継手金具は、その上記一般部の下端を、既設の上記下段の横葺外壁の上端の上記溝部の上縁部と、該溝部に係止せしめた上記上段の横葺外壁の本体部の下端との間に嵌入せしめるとともに、上記止水用シール材を介して上記上段の横葺外壁の背面に重合せしめた上記一般部の上端の凹部を、上記上段の横葺外壁の固定フランジと一体に上記建築物の壁面にねじ締め固定する（請求項２）。継手金具は、上下方向に複数段組付ける横葺外壁の一段ごとに横葺外壁の端部を接続し、かつ接続する際には、継手金具の下端を重なり合う下段の横葺外壁と上段の横葺外壁のとの間に嵌入し、継手金具の上端を上段の横葺外壁のと一体に建築物の壁面にねじ締め固定するようにしたので、外壁の施工作業性が良好である。
【００１１】
下段の横葺外壁の接続部と、上段の横葺外壁の接続部を、上下方向に千鳥状に配する（請求項３）。外壁の外観が単調にならず、外壁の意匠性をよくできる。
【００１２】
【発明の実施の形態】
図１ないし図４に基づいて本発明を適用した金属板横葺外壁の端部接続構造の実施形態を説明する。図４に示すように、横葺外壁２を組付ける建築物の壁面１は、所定の間隔をおいて立設した柱１３の間に水平方向に架設した断面ほぼＣ字形のチャンネル鋼材よりなる胴縁１２に、内壁材１１が固定してあり、内壁材１１の表面にはこれに沿って断面ハット形のチャンネル鋼材よりなる複数の外壁下地材１０が縦方向に所定の間隔をおいて設けてある。各外壁下地材１０は断面開口を内壁材１１側へ向け、両側のフランジをボルト締めして固定してある。そして複数の横葺外壁２を壁面１の下方より順に縦横方向に接続しながら外壁下地材１０に取付けて壁面１を被覆する。図４中、１４，１５は壁面１の下縁に沿って水平に設けた断面ほぼＺ字状の水切りパネルおよびパネルスタート材である。
【００１３】
図１、図２、図４に示すように、金属パネルからなる各横葺外壁２は同一形状、同一寸法に形成してある。横葺外壁２は横幅の長い長方形状に形成してあり、各横葺外壁２の断面形状は従来構造のそれとほぼ同一で、外壁面を形成する垂直面状の本体部２０の上端には横幅方向全長にわたって、パネル面を屈曲して背面側へ突出する断面ほぼコ字形の溝部２１と、溝部２１の開口上縁部２３からパネル背面側へ断面ほぼＺ字形に屈曲して上方へ延出する固定フランジ２４が形成してある。溝部２１はパネル表面側へ向けて開口しており、溝部２１の上面２２は開口側が下位となる傾斜面をなし、開口上縁部２３との間の屈曲角度が鋭角に形成してある。溝部２１の下面は上面２２とほぼ平行な傾斜面をなし、両者をつなぐ溝底面は垂直面としてある。
【００１４】
開口上縁部２３は溝部２１の開口を挟んで本体部２０と共通な垂直面をなす。固定フランジ２４はその背面側への突出寸法を溝部２１のそれとほぼ同じとし、固定フランジ２４は溝部２１の上記底面と共通の垂直面をなす。
【００１５】
横葺外壁２の本体部２０の下端には、下段側に位置する他の横葺外壁２の溝部２１に係止可能な係止部２５が形成してある。係止部２５は本体部２０の下端を背面側へ屈曲し、上記溝部２１の上面２２に沿うように斜め上方へ延びる傾斜状に形成してある。本体部２０の下端と係止部２５との間の屈曲角度は溝部２１の開口上縁の屈曲角度とほぼ同じかそれよりも若干鋭角に形成してある。
【００１６】
横葺外壁２を上下方向に組付けるには、図２および図４に示すように、先に建築物の壁面１へ組付けられた下段の横葺外壁２の溝部２１に、下段の横葺外壁２の直上位置に組付ける上段の横葺外壁２の係止部２５を上記溝部２１の上面２２に当接係止せしめ、上段の横葺外壁２の上端の固定フランジ２４を後述の継手金具３を介して外壁下地材１０にタッピングスクリュウ５によりねじ締め固定する。このように上下方向に複数段の横葺外壁２を順次下から上へと相互に固定して組付ける。尚、最下段の横葺外壁２は下端の係止部２５を上記パネルスタート材１５の下端に係止する。また、図略ではあるが最上段の横葺外壁は上端が屋根の軒裏付近に位置し、上端の固定フランジおよび溝部を一体に被覆するカバー部材を被せる。
【００１７】
一方、図１ないし図４に示すように、横方向に隣接する複数の横葺外壁２Ａ，２Ｂは、互いに対向する両者の端部を継手金具３を用いて接続する。継手金具３は、隣接する一方の横葺外壁２Ａの端部の背面と他方の横葺外壁２Ｂの端部の背面とにわたる横幅で、縦方向の長さを横葺外壁２Ａ，２Ｂの縦幅よりも若干長めに形成した金属パネルからなる。継手金具３は板厚が１ｍｍ〜２ｍｍの程度にしてあり剛性が高い。
【００１８】
継手金具３は、横葺外壁２Ａ，２Ｂの本体部２０の背面に対応する一般部３０と、横葺外壁２Ａ，２Ｂのの上端の溝部２１および固定フランジ２４に対応して、一般部３０の上端から背面側へ屈曲する断面ほぼコ字形の凹部３１を備えている。凹部３１の上面および下面は凹部３１のパネル表面側の開口の上下長が凹部３１の底面の上下長よりも長くなるように傾斜状に形成してある。継手金具３の上端には凹部３１上縁から上方へ延び一般部３０と共通な垂直面をなす上端部３３が設けてあり、これにより継手金具３の縦長が横葺外壁２Ａ，２Ｂの縦長よも長くなっている。また一般部３０の下端には、段差を介して一般部３０よりもパネル表面側へ張り出した垂直面状の係合部３２が形成してある。
【００１９】
そして、継手金具３のパネル表面には、幅方向の中央部３４と上記係合部３２とを除く左右両側のパネル半面にそれぞれ、発泡ゴム等からなる厚肉の止水用シール材４が上記各パネル半面を覆うように縦方向帯状に貼着してある。止水用シール材４は、その厚さを継手金具３の一般部３０と係合部３２との間の上記段差幅よりも若干厚くしてある。
【００２０】
上記継手金具３により接続される各横葺外壁２Ａ，２Ｂの端部には、下段側の横葺外壁２の開口上縁部２３に対応する本体部２０下端を除いた本体部２０の端縁、および溝部２１の下面の端縁にそれぞれ、各端縁を背面側へ断面く字形に屈曲せした屈曲端縁２６が形成してある。屈曲端縁２６の本体部２０背面側への突出量は、継手金具３の一般部３０と係合部３２との間の上記段差幅とほぼ同じにしてある。
【００２１】
隣接する横葺外壁２Ａ，２Ｂの端部を接続するには、両横葺外壁２Ａ，２Ｂの両端部の背面側に、上記両端部に跨がるように継手金具３を配し、継手金具３の下端の係合部３２を、両横葺外壁２Ａ，２Ｂの本体部２０の下端と、これらの係止部２５を係止せしめた下段の横葺外壁２の溝部２１の開口上縁部２３との間に上方から差し込んで、上記本体部２０の下端と上記開口上縁部２３とので継手金具３の下端の係合部３２を挟み付ける。
【００２２】
そして、継手金具３の一般部３０と凹部３１との表面に貼着した左右両側の止水用シール材４をそれぞれ、両横葺外壁２Ａ，２Ｂの本体部２０の背面、溝部２１の背面、および固定フランジ２４の背面に圧接するように重ね合わせるとともに、両横葺外壁２Ａ，２Ｂの上記屈曲端縁２６の先端をそれぞれ、継手金具３の両止水用シール材４間の中央部３４のパネル表面に当接せしめる。そして、一方の横葺外壁２Ａの固定フランジ２４を継手金具３の凹部３１と一体に外壁下地材１０にタッピングスクリュウ５によりねじ締め固定するとともに、他方の横葺外壁２Ｂの固定フランジ２４を継手金具３の凹部３１にタッピングスクリュウ５によりねじ締め固定する。尚、剛性の高い継手金具３は、一方の横葺外壁２Ａの端部と一体に外壁下地材１０に締結するのみで、他方の横葺外壁２Ｂの端部を充分に支持することができる。
【００２３】
このようにして、横方向に隣接する横葺外壁を順に接続していく。そして、建築物の壁面の横方向全幅にわたって横方向に配列する同一段の横葺外壁を接続した後、上段に新たに横葺外壁を横に接続しながら組付け、建築物の壁面全体を被覆する。図４に示す外壁は、外壁下地材１０を内壁材１１に横葺外壁２の横幅の約２分の１の間隔で設置しておき、下段の横葺外壁２をひとつおきの外壁下地材１０に継手金具３を介して固定するととも、上段の横葺外壁２を下段の横葺外壁２が固定されていないひとつおきの外壁下地材１０に継手金具２を介して固定し、上段の横葺外壁２の各接続部を下段の横葺外壁２の横幅方向のほぼ中央に対応する位置に配して、上段の接続部と下段の接続部とを上下方向に千鳥状に配置する。
【００２４】
本発明の横葺外壁の接続構造によれば、継手金具３をパネル材で構成し、隣接する両横葺外壁２の端部の背面側に設置したので、従来の長尺の鋼材からなる継手金具のように横葺外壁２の表面へ突出せず見栄えが良好である。尚、本発明の継手金具３は、両横葺外壁２の端部間の隙間から中央部３４のパネル表面が若干露見するが、継手金具３のパネル表面を横葺外壁３と同色の塗装をすれば目立たない。また、両横葺外壁２の対向する各端縁に背面側へ屈曲する屈曲端縁２６を設け、これらを継手金具３の中央部３４のパネル表面に当接せしめたので、屈曲端縁２６が止水用シール材４を側部を覆い隠し、止水用シール材４が露見することがない。
【００２５】
また、横風に煽られ横葺外壁２の本体部２０の表面を横へ伝う雨水は、屈曲端縁２６を伝って継手金具３の中央部３４のパネル表面へ流れるが、反対側の屈曲端縁２６に堰き止められ、継手金具３の中央部３４のパネル表面に沿って流下して排水される。例え、屈曲端縁２６の先端と継手金具３との間から雨水が侵入したとしても、止水用シール材４により侵入が阻止される。特に止水用シール材４は面接触により横葺外壁２と継手金具３との間をシールするので、経年により止水用シール材４が硬化しても高いシール性を維持し確実に雨水の侵入を防ぐ。
【００２６】
更に、横葺外壁２を建築物の壁面１に組付ける際、従来構造のように横葺外壁２の下縁の係止部２５を下段の横葺外壁２溝部２１へ係止する作業と、端部を継手金具３へ接続する作業とを同時に行わなくてよく、順に作業を行なうことができるので作業性が良好である。また、横葺外壁２と継手金具３とを同時に壁面１に固定するので、従来構造のように長尺の継手金具の壁面への取付け位置と横葺外壁の横長との寸法誤差等が生じず、横葺外壁２が撓まない。
【００２７】
従来構造では、上下に組付けた各横葺外壁２の接続部が上下方向に一直線に揃ううえ接続部が目立つので、接続部を少なくするために横葺外壁２の横幅を長くしていたが、本発明では接続部が目立たないので横葺外壁２の横幅を短くでき、横葺外壁２の取りまわしや運搬性がよい。また、横葺外壁２の横幅を短くし、横葺外壁２を上下方向に千鳥状に組付けることで、外壁外観が単調にならずにすむ。特に、図５（Ａ），（Ｂ）に示すように、塗装色の異なる２種類以上の横葺外壁２ａ，２ｂを用い、これらを上下に千鳥状に組付けて外壁に模様を描くことができ外壁の意匠性を向上することができる。
【００２８】
上述の実施形態では、一方の横葺外壁２Ａを継手金具３の一方のパネル半面と一体に外壁下地材１０に締結し、他方の横葺外壁２Ｂを継手金具３の他方のパネル半面に締結するようにしたが、これに限らず、図６に示すように、壁面１の外側へ向けて開口する断面ハット形の外壁下地材１０ａを、その頂面を内装材１１に締結して取付け、外壁下地材１０ａの両側のフランジに、隣接する両横葺外壁２Ａ、２Ｂを継手金具３と一体に締結してもよい。これによれば接続部の取付け強度を強化することができる。
【００２９】
【発明の効果】
本発明の金属板横葺外壁の接続構造によれば、接続部が目立たず外観の見栄えを良好にできる。また、接続部のシール性が高く接続部からの雨水等の侵入を確実に防ぐことができる。更に外壁の施工作業性が良好である。
【図面の簡単な説明】
【図１】本発明の金属板横葺外壁の接続構造を示すもので、図１（Ａ）は分解斜視図、図１（Ｂ）は接続状態の斜視図である。
【図２】図１（Ｂ）のＩＩ−ＩＩ線に沿う縦断面図である。
【図３】図１（Ｂ）のＩＩＩ  −ＩＩＩ  線に沿う横断面図である。
【図４】本発明を適用した建築物の外壁の斜視図である。
【図５】図５（Ａ），（Ｂ）は本発明を適用した建築物の外壁の横葺外壁の配置例を示す図である。
【図６】図３に対応して、本発明の他の接続構造を示す横断面図である。
【図７】従来の横葺外壁の組付け構造を示す縦断面図である。
【図８】従来の金属板横葺外壁の接続構造を示す分解斜視図である。
【図９】図８のＩＸ−ＩＸ線に沿う位置での接続状態の横断面図である。
【符号の説明】
１  建築物の壁面
１０  外壁下地材
２，２Ａ，２Ｂ  横葺外壁
２０  本体部
２１  溝部
２３  溝部の上縁部（開口上縁部）
２４  固定フランジ
２５  係止部
２６  屈曲端縁
３  継手金具
３０  一般部
３１  凹部
３２  一般部の下端（係合部）
３４  中央部
４  止水用シール材
【図１】
2004339766.tif 000003
【図２】
2004339766.tif 000004
【図３】
2004339766.tif 000005
【図４】
2004339766.tif 000006
【図５】
2004339766.tif 000007
【図６】
2004339766.tif 000008
【図７】
2004339766.tif 000009
【図８】
2004339766.tif 000010
【図９】
2004339766.tif 000011